(57)【要約】０〜３才の適合性を有するベビーグロー（２）を備える子供用肌着は、ベビーグロー（２）において、首（２１）−股（２２）方向線を定義でき、ベビーグロー（２）の布地の重量の９０％超は綿である。ベビーグロー（２）の外面の少なくとも７０％は、首−股方向線（３）に対して横方向に延設されるリブ（７）を有する。リブ（７）は、首−股方向線（３）に沿って、方向線（３）に沿った５ニュートン以下の力の印加に応じて、４０％超の伸びを可能とする。【選択図】図１
2019508604.tif 000002
【特許請求の範囲】
【請求項１】
０〜３才の適合性を有するベビーグロー（２）を備える子供用肌着であって、
前記ベビーグロー（２）において、首（２１）−股（２２）方向線が定義され、
前記ベビーグロー（２）の布地の重量の７０％超は綿であり、
前記ベビーグロー（２）の外面の少なくとも７０％は、前記首−股方向線（３）に対して横方向に延設されるリブ（７）を有しており、
前記リブ（７）は、前記方向線（３）に沿った３０ニュートン以下の力の印加に応じて、前記首−股方向線（３）に沿って４０％超の伸びを可能とする子供用肌着。
【請求項２】
請求項１に記載の衣服において、前記ベビーグロー（２）の前記布地の前記重量の９５％超かつ１００％未満が綿で形成されている衣服。
【請求項３】
請求項１または２に記載の衣服において、前記リブ（７）は、厚い部分が単位ｃｍ2当たり８〜３２のリブで構成される編み目（５）を備える衣服。
【請求項４】
請求項３に記載の衣服において、前記編み目（５）はまた、綿に加えて、他の糸が編み込まれていないそのままのエラストマー糸を備える衣服。
【請求項５】
請求項１から４のいずれかに記載の衣服において、
前記ベビーグロー（２）は、少なくとも一つの第一ピース（６１）と第二ピース（６２）との組み合わせ体であり、
前記ベビーグローは、ポリブチレンテレフタレートで形成される、前記第一ピース（６１）と前記第二ピース（６２）とを縫うための縫糸（６３）を備える衣服。
【請求項６】
請求項１〜４のいずれか一に記載の衣服において、
前記ベビーグロー（２）は、少なくとも一つの第一ピース（６１）と第二ピース（６２）との組み合わせ体であり、
前記ベビーグローは、前記第一ピース（６１）と前記第二ピース（６２）とを縫うための縫糸（６３）を備えており、
前記糸は、少なくとも前記ベビーグローの変形していない構成において、該糸の弾性によってそれ自体に引き寄せられるとともに前記ベビーグロー（２）の可能な延びを実現しやすくするよう延びることができる線に沿って延設されている衣服。
【請求項７】
請求項１から６のいずれかに記載の衣服において、前記ベビーグローの首は、肩に開口部がないタイプの丸首である衣服。
【請求項８】
請求項１から７のいずれかに記載の衣服において、前記リブ（７）は互いに並んで延設されており、前記リブは前記首−股方向線（３）に沿って互いに並んで繰り返されている衣服。
【請求項９】
請求項１から８のいずれかに記載の衣服において、前記首−股方向線（３）に沿った前記伸びは、イタリア欧州規格１４７０４−１；２００５の試験方法に基づいて検出される衣服。
【請求項１０】
請求項１から９のいずれかに記載の衣服において、前記ベビーグロー（２）の脚開口部の傾斜（８０）は、４５°以下である衣服。
【請求項１１】
請求項１〜１０のいずれか一に記載の衣服を製造する方法において、
丸編機によって円筒を得る工程と、
前記円筒を分離してウェブを得る工程と、
前記ウェブから、首と股との間に延設される前記ベビーグローの前面部分を得る工程と、
を含み、
前記前面部分を得る前記工程は、前記ウェブのリブが前記前面部分の前記首−股方向線（３）に対して直角に延設されるよう前記前面部分を切断する工程を含んでおり、
そして前記方法は、前記ベビーグローの背面部分を得て、該背面部分を前記前面部分と組み合わせる工程を含む方法。
【発明の詳細な説明】
【技術分野】
【０００１】
本発明の目的は、０〜３才の適合性を有する単一サイズの子供用肌着およびこれを生産する方法にある。
【背景技術】
【０００２】
０〜約３才までの子供がベビーグロー（ｂａｂｙｇｒｏｗ）として知られている特定の肌着を着用することが知られている。ベビーグローは生まれた時から着用され、子供がおむつを着用している間、通常用いられる。
【０００３】
ベビーグローは、まず頭に挿入し次いで腕に挿入することによって、子供に着せられる。次に、ベビーグローは、おむつの上で、子供の脚の間（「股（crotch）」として知られている）のボタン（場合によっては自動的である）によって、閉じられる。
【０００４】
この子供用肌着は、子供の頭を挿入しやすくするために、
閉じボタン付きの肩開口部、
ホルター・トップとして知られている、重ね合わせる布地を有する肩開口部、
といった、首に特定の特徴を有するよう通常形成される。
【０００５】
また、０〜３才までの子供の成長は非常に速く、したがって、服を特に肌着をある程度の頻度で変えなければならないことが知られている。
【０００６】
この理由で、ベビーグローは、新生児（身長５０〜５５センチメートル）から月齢３６か月（身長９８〜１００センチメートル）までの範囲にわたって、約８〜１０のサイズで販売されている。
【０００７】
ベビーグローは主として綿で生産され購入される。子供の肌はこの「自然な」繊維には十分な耐性があると考えられているからである。
【０００８】
現在のベビーグローは、購入に相当な費用を伴って子供用肌着を連続的に変えていくことを親たちに強いており、これらの製品の製造と処分に関連する環境問題が増加している。
【０００９】
必要な弾性ニーズを満たすことができるシームレス技術で合成マイクロファイバーから形成される、ある程度の単一サイズの０〜３才の子供用肌着が、ちょうど今知られている。
【００１０】
しかしながら、この製品は、高いコストと、新生児の繊細で敏感な肌はそのような材料に皮膚科学的に十分な耐性がないのではないかという不安とから、多くの親たちには人気がない。
【発明の概要】
【００１１】
この状況において、本発明の技術的課題が、すべての子供が皮膚科学的に耐性を有する材料で形成される、月齢０〜３６か月の適合性を可能にする肌着、および肌着を実現する製造方法を提案することにある。
【００１２】
上述の技術的課題および特定の目的は、添付の特許請求の範囲における一以上の請求項に記載した技術的特徴を備える衣服および製造方法によって十分に達成される。
【図面の簡単な説明】
【００１３】
本発明のさらなる特徴および利点は、以下の添付図面を参照して、例示的でありしたがって限定するものではない、衣服の好ましい実施形態であるが他の形態を排除するものではない実施形態から、明らかとなろう。
【図１−２】対応する拡大図を含む本発明にかかる衣服の二つの異なる図を示す。
【図３−４】本発明にかかる衣服の布地の構造の二つの概略的な細部を示す。特に、図３は編み目を示し、そして図４はシートに対して直交する平面に沿って実行されたこの編み目の一部の断面を示している。
【図５】本発明にかかる衣服の一部の正面図を示す。
【発明を実施するための形態】
【００１４】
添付の図面において、参照符号１は、ベビーグロー２を備える子供用肌着を示している。このベビーグローは、０〜３才の適合性を有する。
【００１５】
ベビーグローは、十分な適合性のため単一サイズである。
【００１６】
前記ベビーグロー２において、首２１−股２２方向線３を定義できる。
【００１７】
ベビーグロー２の布地の重量の７０％超が、好適には９０％超が綿で形成される。好ましい解決法では、ベビーグロー２の布地の重量の９５％超が綿で形成される。ベビーグロー２の外面の少なくとも７０％は、首−股方向線３に対して横方向に延設されるリブ７を有する。ベビーグロー２の緯糸（ｗｅｆｔ）は、前記方向線３を特定する。そのようなリブは、典型的には微小リブである。布地が広げられていない場合、リブは一般的には肉眼には見えない（または肉眼では容易には見えない）。この理由で、図１および図２において、拡大図はリブを強調している。
【００１８】
適切には、リブ７は、前記方向線３に沿った３０ニュートン以下の力の印加に応じて、首−股方向線３に沿って４０％超の伸びを可能とする。適切には、首−股方向線３に沿った４０％超の伸びは、首−股方向線３に沿った１０ニュートン（好ましくは５ニュートン）の力の印加に応じて得られる。
【００１９】
従来の綿ベビーグローでは、わずか２０％超の伸びにも５０ニュートン超の力が必要であろう。
【００２０】
この変形の結果として、衣服１は子供の成長に適合することができる。
【００２１】
この試験の実行は、衣服が着用されていない状態で行われる。ベビーグローの前後はそのとき重ねられている（衣服はしたがって十分に二次元に（高さ、幅に）展開される）。
【００２２】
好適には、首−股方向線３に沿った伸びは、イタリア欧州規格１４７０４−１；２００５（ＵＮＩ  ＥＮ  １４７０４−  １；２００５）の試験方法に基づいて検出される。
【００２３】
適切には、ベビーグロー２の二つの側部を接続する向きに沿った２０％超の伸びも、この向きに沿った（この向きは経糸（ｗａｒｐ）の向きである）５ニュートン以下の力の印加に応じて、可能とできる。しかしながら、ベビーグローの幅に沿ったこの伸びは、最初の３年に対する衣服の適合性を保証するのに、それほど重要ではない。
【００２４】
リブ７は編み目５を備える。リブを構成する糸は、互いの間で相互連結される編み目を構成する。
【００２５】
そのような編み目は、主として木綿糸から成る。
【００２６】
編み目はまた、綿に加えて、好適には他の糸が編み込まれていない（ｎｏｔ  ｂｒａｉｄｅｄ）そのままのエラストマー糸（bare elastomer threads）を備える。
【００２７】
適切には、このエラストマーは、好適には２０〜４０Ｄ．Ｔｅｘのポリウレタン（例えばエラスタン（Ｅｌａｓｔａｎ））またはポリブチレンテレフタレート、ポリオレフィンエラストマーを備えることができる。
【００２８】
エラスタン糸が編み込まれていないことにより、互いに直交する二つの方向に沿って良好な弾性を有する布地を得ることができる。こうして、弾性は、首−股方向線３だけでなく、ベビーグローの二つの側部２３，２４間に延びる方向線に沿っても向上する。このことが、ラッシェル・タイプの線形編機（ｌｉｎｅａｒ  ｍａｃｈｉｎｅｓ）を用いて縦編みを実行しないにもかかわらず、得られる。
【００２９】
適切には、そのような編み目は、単位ｃｍ2当たり８〜３２のリブで、好ましくは単位ｃｍ2当たり１２〜２０のリブで構成される厚い部分（ｔｈｉｃｋｅｎｉｎｇ）を持つ。
【００３０】
一の特定の解決法では、ベビーグロー２の布地の重量の９０％超かつ１００％未満を綿で形成することができる。
【００３１】
綿糸撚り準備（ｃｏｔｔｏｎ  ｙａｒｎ  ｔｗｉｓｔｉｎｇ  ｐｒｅｐａｒａｔｉｏｎ）との関連で、エラストマーの割合をさらに低減することもできる。同様に、綿の割合を、エラストマー糸のデニール等級（ｄｅｎｉｅｒ  ｒａｔｉｎｇ）との関連で９９％に増加させることもできる。
【００３２】
一の特定の構造的解決法では、ベビーグロー２は、少なくとも第一ピース６１と第二ピース６２との組み合わせ体である。
【００３３】
例えば、第一ピース６１と第二ピース６２とをベビーグローの前面部分と背面部分とにできる、またはピースの一方を袖とすることもできる。
【００３４】
ベビーグローは、第一ピース６１と第二ピース６２とを縫うための縫糸６３を備える。この糸は、好適には、ポリブチレンテレフタレート（４８％〜７２％の伸びを有する）で形成される。この材料はまた、尿酸に対する優れた耐性を有する（またこのことが０〜３才の子供用に構成される衣服として重要である）。
【００３５】
適切には、第一ピース６１および第二ピース６２との縫糸６３は、少なくともベビーグローの変形していない構成において、（糸の弾性の結果として）それ自体に少なくとも部分的に引き寄せられるとともにベビーグロー２の可能な延びを実現しやすくするよう伸びることができる線に沿って延設されている。
【００３６】
好適には、ベビーグローの首は丸首である。肩には、開口部（例えばボタンによって閉じることができる、またはホルター・トップとして知られている重ね合わせる布地が配置されている）がない。適切には、ベビーグロー２は、ラグラン・タイプの袖を備える。上記のことは、そうでなければ、衣服が首−股方向線３に沿って（あるいはむしろ肩−股方向線に沿って）引っ張られる場合にその延びによって首が開いてしまう可能性があるので、重要である。
【００３７】
肩の上側の点に縫い目がないラグラン袖は、縫い目により生じる摩擦点を回避する。
【００３８】
丸首は、三歳の子供の頭が入るよう２２〜３０ｃｍで構成される水平開口部の形成を保証できるのに十分大きな弾性を有する。
【００３９】
リブ７は、首−股方向線３に沿って並んで繰り返される。
【００４０】
好適には、ベビーグロー２の脚開口部８の傾斜８０は、４５°以下である。図５を参照して、第一直線８１と第二直線８２とが為す角８０は、４５°以下である。ここで、
第一直線８１は首−股方向線３に対して直交しており、
第二直線８２は、脚開口部８の前部によって定義されるアーチ上に中間にある点における脚開口部８の接線である。
【００４１】
こうして、ベビーグロー２は、首−股方向線３に沿った伸びを考慮しながら、下にあるおむつを覆うことができ、おむつが見えるのを防止することができる。
【００４２】
本発明の目的はまた、先に開示した特徴の一つ以上を有する衣服を製造する方法である。
【００４３】
適切には、方法は、
丸編機（ｃｉｒｃｕｌａｒ  ｍａｃｈｉｎｅ）を用いて円筒を得る工程（このことは、必ずしも必須ではないが適当にはＥ．Ｔ．Ｒ．リブ機械−エレクトロニック・トランスファー・リブ・マシンによって行うことができる）と、
前記円筒を切断して（適当には生成線（ｇｅｎｅｒａｔｏｒ  ｌｉｎｅ）に沿って）ウェブを得る工程と、
前記ウェブから、首と股との間に延設されるベビーグローの前面部分を得る工程と、
を含む。
【００４４】
前記前面部分を得る工程は、ウェブのリブが前記前面部分の首−股方向線３に対して直角に延設されるよう前面部分を切断する工程を含む。こうして、「緯糸」切断が行われる。これによって、リブの厚い部分における弾性を最適化できる。
【００４５】
本方法は、その後、ベビーグローの背面部分を得て、該背面部分を前記前面部分と組み合わせる工程を含む。
【００４６】
好適には、背面部分は、前面部分が得られるのと同じウェブから得られる。一つの特定の解決法において、一つ以上の腕を含んでいる当初は別の領域を組み合わせることもできる。
【００４７】
したがって、本発明では、複数の利点が得られることが想定される。
【００４８】
とりわけ、生まれた時から３６か月までの子供が用いることができると同時に汗をよく吸収するとともに最も繊細な肌であっても十分に耐性がある天然素材であるので親たちによって本当に高く評価される単一サイズのベビーグローを得ることができる。これにより、親たちにとって大きなコスト（これがなければ子供の成長に伴いかなりの頻度でベビーグローを変えなければならない）を削減することができる。
【００４９】
これは、特定の布地構造（幅が延びるリブを有する）に関連するベビーグローの特定の構造体によって得られる。また、対象の一の面では、合わせ目を形成するために高弾性率を有する特定の糸が使用される。
【００５０】
このように、本発明に、いくつもの変更および変形を行うことが考えられ、それらすべては本発明を特徴づける本発明概念の範囲内である。さらに、すべての詳細な構成は、他の技術的に等価な要素と置き換え可能である。実際上、すべての用いられる材料および寸法は、必要に応じて、任意のものとできる。
【図１】
2019508604.tif 000003
【図２】
2019508604.tif 000004
【図３】
2019508604.tif 000005
【図４】
2019508604.tif 000006
【図５】
2019508604.tif 000007
【国際調査報告】
2019508604.tif 000008
2019508604.tif 000009